(57)【特許請求の範囲】
【請求項１】
定型サイズの用紙よりも搬送方向の用紙長が長い長尺用紙を用いて画像を形成する際に、前記長尺用紙の搬送方向の用紙長を所定の大きさのページを単位として取り扱うと共に、前記ページ毎に複数の画像を配置して形成するよう制御する制御部を備えた画像形成装置であって、
前記制御部は、前記長尺用紙に前記ページ単位の画像形成を繰り返して実行する途中で中断した画像形成を再開する際に、前記長尺用紙上において画像形成が完成した画像と未完成の画像とを識別し、当該未完成の画像から画像形成を再開するよう制御する、
ことを特徴とする画像形成装置。
【請求項２】
前記制御部は、前記ページ内に複数の画像を配置して前記長尺用紙に前記ページ単位の画像形成を繰り返して実行するよう制御しており、画像形成を中断後に再開する際には、前記完成した画像を除いて前記未完成の画像から前記ページ内に複数の画像を配置して画像形成を再開するよう制御する、
ことを特徴とする請求項１に記載の画像形成装置。
【請求項３】
前記制御部は、複数の同一の画像を画像形成する際には、前記未完成の画像数により、画像形成の再開を管理する、
ことを特徴とする請求項１−２のいずれか一項に記載の画像形成装置。
【請求項４】
前記制御部は、複数の異なる画像を画像形成する際には、前記未完成の画像から前記ページ内に複数の画像を配置し、配置された画像により画像形成を再開するよう制御する、
ことを特徴とする請求項１−２のいずれか一項に記載の画像形成装置。
【請求項５】
前記制御部は、画像形成を中断後に再開するために前記未完成の画像から前記ページ内に所定の複数の画像を配置する際に、同一ジョブに属する複数の異なる画像については、同じページ内に配置するように制御する、
ことを特徴とする請求項１−４のいずれか一項に記載の画像形成装置。
【請求項６】
前記制御部は、画像形成を中断後に再開するために前記未完成の画像から前記ページ内に所定の複数の画像を配置する際に、異なるジョブに属する複数の異なる画像については、同じページ内に配置しないように制御する、
ことを特徴とする請求項１−４のいずれか一項に記載の画像形成装置。
【請求項７】
定型サイズの用紙よりも搬送方向の用紙長が長い長尺用紙を給紙する給紙部と、
前記長尺用紙を用いて画像を形成する画像形成部と、
画像形成された前記長尺用紙を排紙する排紙部と、
前記長尺用紙を用いて画像を形成する際に、前記長尺用紙の搬送方向の用紙長を所定の大きさのページを単位として取り扱うと共に、前記ページ毎に複数の画像を配置して形成するよう制御する制御部と、
を備えた画像形成システムであって、
前記制御部は、前記長尺用紙に前記ページ単位の画像形成を繰り返して実行する途中で中断した画像形成を再開する際に、前記長尺用紙上において画像形成が完成した画像と未完成の画像とを識別し、当該未完成の画像から画像形成を再開するよう制御する、
ことを特徴とする画像形成システム。
【請求項８】
前記制御部は、前記ページ内に複数の画像を配置して前記長尺用紙に前記ページ単位の画像形成を繰り返して実行するよう制御しており、画像形成を中断後に再開する際には、前記完成した画像を除いて前記未完成の画像から前記ページ内に複数の画像を配置して画像形成を再開するよう制御する、
ことを特徴とする請求項７に記載の画像形成システム。
【請求項９】
前記制御部は、複数の同一の画像を画像形成する際には、前記未完成の画像数により、画像形成の再開を管理する、
ことを特徴とする請求項７−８のいずれか一項に記載の画像形成システム。
【請求項１０】
前記制御部は、複数の異なる画像を画像形成する際には、前記未完成の画像から前記ページ内に複数の画像を配置し、配置された画像により画像形成を再開するよう制御する、
ことを特徴とする請求項７−８のいずれか一項に記載の画像形成システム。
【請求項１１】
前記制御部は、画像形成を中断後に再開するために前記未完成の画像から前記ページ内に所定の複数の画像を配置する際に、同一ジョブに属する複数の異なる画像については、同じページ内に配置するように制御する、
ことを特徴とする請求項７−１０のいずれか一項に記載の画像形成システム。
【請求項１２】
前記制御部は、画像形成を中断後に再開するために前記未完成の画像から前記ページ内に所定の複数の画像を配置する際に、異なるジョブに属する複数の異なる画像については、同じページ内に配置しないように制御する、
ことを特徴とする請求項７−１０のいずれか一項に記載の画像形成システム。
【請求項１３】
定型サイズの用紙よりも搬送方向の用紙長が長い長尺用紙を用いて画像を形成する際に、前記長尺用紙の搬送方向の用紙長を所定の大きさのページを単位として取り扱うと共に、前記ページ毎に複数の画像を配置して形成するよう制御する制御部を備えた画像形成装置又は画像形成システムを制御する画像形成制御方法であって、
前記長尺用紙に前記ページ単位の画像形成を繰り返して実行する途中で中断した画像形成を再開する際に、前記長尺用紙上において画像形成が完成した画像と未完成の画像とを識別し、当該未完成の画像から画像形成を再開する、
ことを特徴とする画像形成制御方法。
【請求項１４】
前記ページ内に複数の画像を配置して前記長尺用紙に前記ページ単位の画像形成を繰り返して実行し、
画像形成を中断後に再開する際には、前記完成した画像を除いて前記未完成の画像から前記ページ内に複数の画像を配置して画像形成を再開する、
ことを特徴とする請求項１３に記載の画像形成制御方法。
【請求項１５】
複数の同一の画像を画像形成する際には、前記未完成の画像数により、画像形成の再開を管理する、
ことを特徴とする請求項１３−１４のいずれか一項に記載の画像形成制御方法。
【請求項１６】
複数の異なる画像を画像形成する際には、前記未完成の画像から前記ページ内に複数の画像を配置し、配置された画像により画像形成を再開する、
ことを特徴とする請求項１３−１４のいずれか一項に記載の画像形成制御方法。
【請求項１７】
中断した画像形成を再開するために前記未完成の画像から前記ページ内に所定の複数の画像を配置する際に、同一ジョブに属する複数の異なる画像については、同じページ内に配置するように制御する、
ことを特徴とする請求項１３−１６のいずれか一項に記載の画像形成制御方法。
【請求項１８】
中断した画像形成を再開するために前記未完成の画像から前記ページ内に所定の複数の画像を配置する際に、異なるジョブに属する複数の異なる画像については、同じページ内に配置しないように制御する、
ことを特徴とする請求項１３−１６のいずれか一項に記載の画像形成制御方法。
【発明の詳細な説明】
【技術分野】
【０００１】
本発明は、画像形成装置及び画像形成システム並びに画像形成制御方法に関し、特に、ロール紙等の長尺用紙に繰り返して画像を形成する際に効率的な制御を実行する技術に関する。
【背景技術】
【０００２】
画像形成装置では、Ａ４やＢ４といった所定の定型サイズにカットされたカット紙と呼ばれる用紙に対して画像を形成することが一般的である。
【０００３】
一方、画像形成装置において、ロール紙と呼ばれる長尺用紙に画像を形成することも可能である。なお、このような長尺用紙は、ラベルを繰り返し印刷するといった用途で使用されることが多い。
【０００４】
このような長尺用紙を用いて画像形成を実行する際にジャム等が発生して画像形成が予期せぬ位置で停止してしまった場合に、どのように回復するかは非常に重要な問題である。
【０００５】
なお、長尺用紙を用いた画像形成装置におけるジャムリカバリ制御については、以下の特許文献などに提案がなされている。
【先行技術文献】
【特許文献】
【０００６】
【特許文献１】特開２０１３−２４４６５６号公報
【特許文献２】特開２０１２−１１６１５３号公報
【特許文献３】特開２００６−２２４６２０号公報
【発明の概要】
【発明が解決しようとする課題】
【０００７】
ところで、長尺用紙を用いてラベル等の繰り返し印刷を実行する場合において、通常の定型サイズの用紙相当の領域（１ページ）にラベルを複数枚配置した状態の面付けを行い、さらに、その定型サイズ相当の領域（１ページ）を複数枚（複数ページ）分繰り返すことで、長尺用紙上に必要な枚数のラベルを印刷するように制御している。この場合の定型サイズとは、Ａ４サイズやＢ４サイズ等である。
【０００８】
この場合、数ｋｍにも及ぶ長尺用紙を用いる場合に、その長尺用紙の長さを直接管理するのではなく、所定のページ数単位で管理することで、精度の良い管理を容易に行える利点がある。
【０００９】
但し、このようなページ単位で長尺用紙を管理した場合に、ジャム発生後の再開もページ単位になる。例えば、ジャム発生によって、ページの途中に定着完了した有効なラベルが存在していた場合を想定する。この場合には、そのページの先頭からラベルの印刷を再開する。このため、重複したラベルが無駄になるという新たな問題が発生することになる。
【００１０】
また、１枚ずつ異なるシリアル番号のラベルを画像形成する場合には、同じシリアル番号のラベルが複数存在すること自体が大きな問題になることもある。
【００１１】
以上の特許文献１では、ユーザーが用紙切れの状況を迅速に把握できるようにするため、長尺用紙のニアエンド状態を検出して印刷データの印刷が完了しない場合には、第１のマークを印刷して印刷を停止し、装填された用紙で印刷が再開されると、用紙先頭に第２のマークを印刷する。これは、長尺用紙の交換のためのマーク付加であり、ジャムリカバリに適用して効率的な運用を行うことはできない。
【００１２】
以上の引用文献２では、長尺用紙を用いてタンデム画像形成装置で両面画像形成をする際に、両面印刷時に一方の面のみの結果物が存在した場合の制御である。すなわち、ジャムリカバリに適用して効率的な運用については配慮されていない。
【００１３】
以上の引用文献３では、長尺用紙を用いた画像形成時のジャムにおいて、ジャム箇所が予め指定されている切断不可区間に該当する場合に、印字再開ページを切断不可区間の先頭ページに変更させることにより、最終的な出力物として切断不可区間で用紙がとぎれないようにするものである。この場合も、ジャムリカバリに適用して効率的な運用については配慮されていない。
【００１４】
本発明は、長尺用紙をページ単位で管理しつつ繰り返し画像形成を行う際に、ジャム後に結果物を無駄なく画像形成を再開できる画像形成装置及び画像形成システム並びに画像形成制御方法を提供することを目的とする。
【課題を解決するための手段】
【００１５】
すなわち、前記した課題を解決するため、本発明の一側面が反映された画像形成装置、画像形成システム、画像形成制御方法は、以下のように構成される。
【００１６】
（１）定型サイズの用紙よりも搬送方向の用紙長が長い長尺用紙を用いて画像を形成する際に、前記長尺用紙の搬送方向の用紙長を所定の大きさのページを単位として取り扱うと共に、前記ページ毎に複数の画像を配置して形成するよう制御する制御部を備えた画像形成装置、若しくは、この画像形成装置を備えた画像形成システム、又は、これら画像形成装置や画像形成システムを制御する画像形成制御方法において、前記制御部は、前記長尺用紙に前記ページ単位の画像形成を繰り返して実行する途中で中断した画像形成を再開する際に、前記長尺用紙上において画像形成が完成した画像と未完成の画像とを識別し、当該未完成の画像から画像形成を再開するよう制御する。
【００１７】
（２）上記（１）において、前記制御部は、前記ページ内に複数の画像を配置して前記長尺用紙に前記ページ単位の画像形成を繰り返して実行するよう制御しており、画像形成を中断後に再開する際には、前記完成した画像を除いて前記未完成の画像から前記ページ内に複数の画像を配置して画像形成を再開するよう制御する。
【００１８】
（３）上記（１）−（２）において、前記制御部は、複数の同一の画像を画像形成する際には、前記未完成の画像数により、画像形成の再開を管理する。
【００１９】
（４）上記（１）−（２）において、前記制御部は、複数の異なる画像を画像形成する際には、前記未完成の画像から前記ページ内に複数の画像を配置し、配置された画像により画像形成を再開するよう制御する。
【００２０】
（５）上記（１）−（４）において、前記制御部は、画像形成を中断後に再開するために前記未完成の画像から前記ページ内に所定の複数の画像を配置する際に、同一ジョブに属する複数の異なる画像については、同じページ内に配置するように制御する。
【００２１】
（６）上記（１）−（４）において、前記制御部は、画像形成を中断後に再開するために前記未完成の画像から前記ページ内に所定の複数の画像を配置する際に、異なるジョブに属する複数の異なる画像については、同じページ内に配置しないように制御する。
【発明の効果】
【００２２】
本発明の一側面が反映された画像形成装置、画像形成システム、画像形成制御方法によると、以下のような効果が得られる。
【００２３】
（１）この発明では、定型サイズの用紙よりも搬送方向の用紙長が長い長尺用紙を用いて画像を形成する際に、長尺用紙の搬送方向の用紙長を所定の大きさのページを単位として取り扱うと共に、ページ毎に複数の画像を配置して形成する。ここで、長尺用紙にページ単位の画像形成を繰り返して実行する途中で中断した画像形成を再開する際に、長尺用紙上において画像形成が完成した画像と未完成の画像とを識別し、当該未完成の画像から画像形成を再開する。
【００２４】
これにより、ページの途中までに有効な画像が存在している状況で、中断したページの先頭から再開した場合に発生する無駄を解消することが可能になる。
【００２５】
すなわち、長尺用紙をページ単位で管理しつつ繰り返し画像形成を行う際に、中断後に無駄なく画像形成を再開できる画像形成装置及び画像形成システム並びに画像形成制御方法を実現できる。
【００２６】
（２）上記（１）において、ページ内に複数の画像を配置して長尺用紙にページ単位の画像形成を繰り返して実行し、画像形成を中断後に再開する際には、完成した画像を除いて未完成の画像からページ内に複数の画像を配置して画像形成を再開するよう制御する。
【００２７】
このように、画像形成を再開する際に、未完成の画像からページ内の配置をやり直すことで、長尺用紙にページ単位の画像形成を繰り返して実行する際の中断後の画像形成再開における無駄を解消することが可能になる。
【００２８】
（３）上記（１）−（２）において、複数の同一の画像を画像形成する際には、未完成の画像数により、画像形成の再開を管理することで、長尺用紙にページ単位の画像形成を繰り返して実行する際の中断後の画像形成再開における無駄を、容易に解消することが可能になる。
【００２９】
（４）上記（１）−（２）において、複数の異なる画像を画像形成する際には、未完成の画像からページ内に複数の画像を配置し、配置された画像により画像形成を再開するよう制御することで、長尺用紙にページ単位の画像形成を繰り返して実行する際の中断後の画像形成再開における無駄を、適切に解消することが可能になる。
【００３０】
（５）上記（１）−（４）において、画像形成を中断後に再開するために未完成の画像からページ内に所定の複数の画像を配置する際に、同一ジョブに属する複数の異なる画像については、同じページ内に配置するように制御することで、長尺用紙にページ単位の画像形成を繰り返して実行する際の中断後の画像形成再開における無駄を、適切に解消することが可能になる。
【００３１】
（６）上記（１）−（４）において、画像形成を中断後に再開するために前記未完成の画像からページ内に所定の複数の画像を配置する際に、異なるジョブに属する複数の異なる画像については、同じページ内に配置しないように制御することで、長尺用紙にページ単位の画像形成を繰り返して実行する際の中断後の画像形成再開における無駄を解消しつつ、異なるジョブの画像の混在を排除することが可能になる。
【図面の簡単な説明】
【００３２】
【図１】本発明の実施形態の画像形成システムの構成を示す構成図である。
【図２】本発明の実施形態の画像形成システムの構成を示す構成図である。
【図３】本発明の実施形態の給紙装置の動作を示すフローチャートである。
【図４】本発明の実施形態の給紙装置の動作を示すフローチャートである。
【図５】本発明の実施形態の画像の配置例を示す説明図である。
【図６】本発明の実施形態の画像の配置例を示す説明図である。
【図７】本発明の実施形態の画像の配置例を示す説明図である。
【図８】本発明の実施形態の画像の配置例を示す説明図である。
【図９】本発明の実施形態の画像の配置例を示す説明図である。
【図１０】本発明の実施形態の給紙装置の動作を示すフローチャートである。
【発明を実施するための形態】
【００３３】
以下、図面を参照して、画像形成装置、画像形成システム、画像形成制御方法において、長尺用紙をページ単位で管理しつつ繰り返し画像形成を行う際に、ジャム後に結果物を無駄なく画像形成を再開する実施形態を詳細に説明する。
【００３４】
〔画像形成システムの構成〕
ここで、給紙装置５０と画像形成装置１００と排紙装置２００とが接続された画像形成システムの構成例を、図１と図２に基づいて詳細に説明する。
【００３５】
給紙装置５０は、給紙装置５０内の各部を制御する制御部５１と、接続されている画像形成装置１００等の他の装置と通信するための通信部５２と、用紙ロールから長尺用紙を画像形成装置１００に向けて給紙する給紙部５５と、給紙部５５から給紙される用紙の張り具合を調整しつつ搬送速度の変動を吸収する給紙調整部５６と、給紙装置５０内で用紙を搬送する搬送部５８と、を備えて構成されている。
【００３６】
画像形成装置１００は、画像形成装置１００内の各部を制御する制御部１０１と、接続されている他の装置（外部機器や給紙装置５０や排紙装置２００等）と通信するための通信部１０２と、利用者による操作入力の受け付けと画像形成装置１００の状態表示とを行う操作表示部１０３と、各種設定を記憶する記憶部１０４と、給紙トレイに収容された用紙を給紙可能な給紙部１０５と、装置内で用紙を搬送する画像形成搬送部１０７と、撮像素子により原稿の画像を読み取って原稿画像データを生成する原稿読取部１１０と、画像形成する際の画像データや各種データを記憶するデータ記憶部１３０と、画像形成に必要な各種画像処理を実行する画像処理部１４０と、画像形成命令と画像データとに基づいて用紙上に画像を形成する画像形成部１５０と、用紙上に形成されたトナーによる画像を熱と圧力とで安定させる定着部１６０と、を備えて構成されている。
【００３７】
なお、制御部１０１は、後述するように、長尺用紙をページ単位で管理しつつ繰り返し画像形成を行う際に、ジャム後に結果物を無駄なく画像形成を再開するための制御機能を備えている。
【００３８】
また、制御部１０１は、用紙の搬送速度と各部の距離とから、画像形成部１５０でトナー像が転写された用紙が定着部１６０を通過するタイミングを把握する機能を有している。また、図示されないセンサを用いて、画像形成部１５０でトナー像が転写された用紙が定着部１６０を通過するタイミングを把握する機能を有していても良い。
【００３９】
排紙装置２００は、排紙装置２００内の各部を制御する制御部２０１と、接続されている画像形成装置１００等の他の装置と通信するための通信部２０２と、画像形成装置１００から排紙される用紙の張り具合を調整しつつ搬送速度の変動を吸収する排紙調整部２０５と、排紙装置２００内で用紙を搬送する搬送部２０６と、画像形成装置１００からの長尺用紙を巻き取りつつ用紙ロールとして排紙する排紙部２０８と、を備えて構成されている。
【００４０】
図２では、給紙装置５０，画像形成装置１００，排紙装置２００として、不定型の長尺用紙を扱う場合を具体例として示している。ここで、長尺用紙とは、定型サイズの用紙よりも搬送方向の用紙長が長い用紙を意味している。
【００４１】
また、図２において、画像形成部１５０として複数色で画像形成を行うものを示しているが、これに限定されず、モノクロの画像形成を行う画像形成部１５０であっても良い。
【００４２】
また、図２において、排紙装置２００は長尺用紙を用紙ロールとして排紙部２０８で巻き取りつつ排紙しているが、これに限定されない。例えば、断裁機構を備えていて、長尺用紙を断裁しつつ排紙することも可能である。また、図示されない別の排紙部を備えていて、ジャム等によって未定着の未完成状態の用紙を断裁して排紙するような構成であっても良い。
【００４３】
なお、給紙や画像形成や排紙に関しては各種の構造が考えられるため、図２では一例を示しており、この形態に限定されるものではない。
【００４４】
〔画像形成装置、画像形成システムの全体動作〕
以下、図３及び図４のフローチャートと、図５以降の画像配置説明図を参照して、本実施形態の全体動作説明を行う。
【００４５】
ここで、図３は通常の画像形成時における画像配置と画像形成実行との動作を示すフローチャート、図４はジャム発生時及びジャム発生後の画像形成時における画像配置と画像形成実行との動作を示すフローチャート、である。
【００４６】
また、本実施形態の画像形成装置１００は、長尺用紙を用いてラベル等の繰り返し印刷を実行する場合において、通常の定型サイズの用紙相当の領域（１ページ）にラベルを複数枚配置した状態の面付けを行い、さらに、その定型サイズ相当の領域（１ページ）を複数枚（複数ページ）分繰り返すことで、長尺用紙上に必要な枚数のラベルを印刷するように制御している。この場合の定型サイズとは、Ａ４サイズやＢ４サイズ等である。この場合、数ｋｍにも及ぶ長尺用紙を用いる場合に、その長尺用紙の長さを直接管理するのではなく、所定のページ数単位で管理することで、精度の良い管理を容易に行える利点がある。
【００４７】
〔通常動作〕
制御部１０１は画像形成すべきジョブを受信（図３中のステップＳ１０１）。ここで、制御部１０１は、画像形成の開始を、通信部を介して給紙装置５０の制御部５１と排紙装置２００の制御部２０１とに通知する。また、制御部１０１は、画像形成装置１００内部の各部に対して画像形成の開始の制御を行う。
【００４８】
また、制御部１０１は、ジョブに含まれる制御データから、画像形成すべき全画像数Ｇallを算出する（図３中のステップＳ１０２）。ここで、全画像数Ｇallとは、ラベルやシールを印刷する場合であれば、長尺用紙上に画像形成するラベルやシールの枚数を意味している。ここで、画像形成する残り画像数を意味する残画像数ＮＧremainの初期値をＧallとする。
【００４９】
さらに、制御部１０１は、長尺用紙を定型サイズ相当のページ単位で管理する場合に、１ページ単位内に配置する画像数ＮＰＧを、主走査方向の画像数を意味する主走査画像数ＮＧｈと、副走査方向の画像数を意味する副走査画像数ＮＧｖとから算出する（図３中のステップＳ１０３）。ここで、ＮＰＧ＝ＮＧｈ×ＮＧｖである。
【００５０】
また、制御部１０１は、全画像数Ｇallの画像を上述したページ単位で管理する場合のページ数ＮＰを算出する（図３中のステップＳ１０４）。ここで、ＮＰ＝ＮＧall÷ＮＰＧである。
【００５１】
そして、制御部１０１は、画像形成に備えて、全画像数Ｇallの画像をＮＰＧ枚ずつの画像を配置してページ数ＮＰの各画像領域に画像を配置する（図３中のステップＳ１０５）。
【００５２】
図５では、長尺用紙ＰＬにおいて、破線で示すページ単位の３個の画像領域ｐｇ１〜ｐｇ３を示している。また、ページ単位の各画像領域において、主走査方向の画像数を意味する主走査画像数ＮＧｈ＝２、副走査方向の画像数を意味する副走査画像数ＮＧｖ＝２、１ページ単位内に配置する画像数ＮＰＧ＝ＮＧｈ×ＮＧｖ＝２×２＝４、とした具体例を示している。また、ここでは、同一の画像を、全画像数Ｇall＝１２枚について、ページ数ＮＰ＝ＮＧall÷ＮＰＧ＝１２÷４＝３として、繰り返す具体例を示している。
【００５３】
以上のように画像の配置が決定した時点で、制御部１０１は、残画像数＝ＮＧremainをチェックする（図３中のステップＳ１０６）。
【００５４】
制御部１０１は、残画像数ＮＧremain＝０であれば（図３中のステップＳ１０６でＮＯ）、全画像枚数Ｇall分の画像形成が完了しているため、処理を終了する（図３中のエンド）。
【００５５】
一方、制御部１０１は、残画像数ＮＧremain≠０（残画像あり）であれば（図３中のステップＳ１０６でＹＥＳ）、全画像枚数Ｇall分の画像形成が完了していないため、画像形成部１５０により画像形成を実行するよう制御する（図３中のステップＳ１０７）。
【００５６】
ここで、制御部１０１は、残画像数ＮＧremainの範囲内で、副走査方向に並んでいる副走査画像数ＮＧｖ枚の画像をページ単位の画像領域内の空き位置に形成するよう画像形成部１５０を制御する（図３中のステップＳ１０７）。
【００５７】
また、制御部１０１は、以上の副走査方向に並んで形成した副走査画像数ＮＧｖ枚の画像が定着部１６０を通過したか否かを判定する（図３中のステップＳ１０８）。なお、用紙上の画像が定着部１６０を通過して熱と圧力とによってトナー像が定着されることで、利用可能な完成した画像になる。一方、用紙上の画像が定着部１６０を通過する前であると、用紙上のトナーが安定していないため、未完成な画像に該当する。
【００５８】
以上の副走査方向に並んで形成した副走査画像数ＮＧｖ枚の画像が定着部１６０を通過した時点で、制御部１０１は、画像形成する残り画像数を意味する残画像数ＮＧremainの値を、残画像数ＮＧremain＝残画像数ＮＧremain−副走査画像数ＮＧhとして計算して更新する（図３中のステップＳ０１９）。
【００５９】
ここで、制御部１０１は、以上の副走査方向に並んで形成（図３中のステップＳ１０７）した副走査画像数ＮＧｖ枚の画像のイメージと、次に副走査方向に並べて形成する予定の副走査画像数ＮＧｖ枚の画像のイメージとについて、イメージが同じか否かを判断する（図３中のステップＳ１１０）。
【００６０】
なお、イメージが同じとは、同じ画像を繰り返して何枚も画像形成することを意味している。一方、イメージが異なるとは、番号が異なるシリアル番号や各個人の住所氏名など、別の画像を画像形成することを意味している。
【００６１】
また、制御部１０１は、画像形成済みの副走査画像数ＮＧｖ枚の画像のイメージと、次に画像形成する予定の副走査画像数ＮＧｖ枚の画像のイメージとが同じる場合（図３中のステップＳ１１０でＮＯ）には、現時点でページ単位の画像領域の１ページ分全てについて画像形成が完了しているか否かを判断する（図３中のステップＳ１１１）。
【００６２】
制御部１０１は、画像形成済みの副走査画像数ＮＧｖ枚の画像のイメージと、次に画像形成する予定の副走査画像数ＮＧｖ枚の画像のイメージとが異なる場合（図３中のステップＳ１１０でＹＥＳ）、あるいは、画像形成済みの副走査画像数ＮＧｖ枚の画像のイメージと次に画像形成する予定の副走査画像数ＮＧｖ枚の画像のイメージとが同じであって現時点でページ単位の画像領域の１ページ分全てについて画像形成が完了している場合（図３中のステップＳ１１１でＹＥＳ）には、次に画像形成する予定の画像の開始位置を再開位置として算出する（図３中のステップＳ１１２）。
【００６３】
なお、画像形成済みの副走査画像数ＮＧｖ枚の画像のイメージと次に画像形成する予定の副走査画像数ＮＧｖ枚の画像のイメージとが同じであって現時点でページ単位の画像領域の１ページ分全てについて画像形成が完了していない場合（図３中のステップＳ１１１でＮＯ）には、再開位置の算出は行わない。
【００６４】
この再開位置とは、長尺用紙にページ単位の画像形成を繰り返して実行する途中で、ジャム等により中断した画像形成を再開する際に、ページ単位ではなく、長尺用紙上において画像形成が完成した画像と未完成の画像とを識別し、当該未完成の画像から画像形成を再開するための用紙上の位置である。
【００６５】
なお、再開位置の初期値は最初の画像領域の開始位置であり、以上のようにして画像形成の所定のタイミングに合わせて再開位置を算出して更新しておく。この再開位置は制御部１０１が記憶部１０４等に記憶しておく。
【００６６】
そして、制御部１０１は、以上のようにして再開位置を算出した場合（図３中のステップＳ１１２）、又は、再開位置を算出しない場合（図３中のステップＳ１１１でＮＯ）には、ステップ１０６に戻って残画像についての画像形成（図３中のステップＳ１０７）を、残画像数ＮＧremain＝０になるまで繰り返す。
【００６７】
なお、制御部１０１は、画像形成（図３中のステップＳ１０７）においてジャム等が発生して画像形成が中断する場合には、後述する図４のジャム対応処理のフローチャートに移行して処理を続行する。
【００６８】
〔再開位置の具体例〕
以下、図６以降の画像配置説明図を参照して、再開位置の算出の具体例を説明する。
【００６９】
〔再開位置の具体例（１）〕
図６では、長尺用紙ＰＬにおいて、破線で示すページ単位の３個の画像領域ｐｇ１〜ｐｇ３を示している。また、ページ単位の各画像領域において、主走査画像数ＮＧｈ＝２、副走査画像数ＮＧｖ＝２、１ページ単位内に配置する画像数ＮＰＧ＝ＮＧｈ×ＮＧｖ＝２×２＝４、としている。また、ここでは、同一の画像（イメージ「Ａ」）を繰り返す例であり、全画像数Ｇall＝１２枚について、ページ数ＮＰ＝ＮＧall÷ＮＰＧ＝１２÷４＝３である。
【００７０】
ここで、用紙ＰＬに画像を形成している状態で、画像領域ｐｇ２の２組目（後半）の画像を形成しているＹ１の位置でジャム等により用紙ＰＬの搬送が停止する。すなわち、Ｙ１の位置より搬送方向下流側領域では先に画像形成と定着とが完了している。一方、Ｙ１の位置より搬送方向上流側領域では画像形成は完了しているものの定着が完了していない。
【００７１】
このため、画像領域ｐｇ１の４画像と、画像領域ｐｇ２で先に画像形成される前半の２画像とが、完成した状態の有効な画像である。また、画像領域ｐｇ２のＹ１に重なる後半の２画像と、画像領域ｐｇ３の４画像とが、未完成状態の無効な画像である。
【００７２】
なお、制御部１０１は、用紙の搬送速度と各部の距離とから、又は、図示されないセンサの検知結果から、画像形成部１５０でトナー像が転写された用紙が定着部１６０を通過するタイミングを把握することで、上述したＹ１の位置を把握している。
【００７３】
このような場合には、画像領域ｐｇ１の４画像についての画像形成が終わった時点で（図３中のステップＳ１１１でＹＥＳ）、画像領域ｐｇ１の末尾と次の画像領域ｐｇ２の先頭との間Ｙ０を再開位置として算出する（図３中のステップＳ１１２）。そして、画像領域ｐｇ２の前半の２画像についての画像形成が終わった時点では、１ページ分の出力をしていないため再開位置の算出を行わない（図３中のステップＳ１１１でＮＯ）。
【００７４】
その後、画像領域ｐｇ２の後半の２画像についての画像形成の途中にジャム等が発生し、処理が中断する。よって、画像領域ｐｇ１の末尾と次の画像領域ｐｇ２の先頭との間Ｙ０が再開位置と確定する。
【００７５】
〔再開位置の具体例（２）〕
図７では、長尺用紙ＰＬにおいて、破線で示すページ単位の３個の画像領域ｐｇ１〜ｐｇ３を示している。また、ページ単位の各画像領域において、主走査画像数ＮＧｈ＝２、副走査画像数ＮＧｖ＝２、１ページ単位内に配置する画像数ＮＰＧ＝ＮＧｈ×ＮＧｖ＝２×２＝４、としている。また、ここでは、全て異なる画像（イメージ００１〜イメージ０１２）を画像形成する例であり、全画像数Ｇall＝１２枚について、ページ数ＮＰ＝ＮＧall÷ＮＰＧ＝１２÷４＝３である。
【００７６】
ここで、用紙ＰＬに画像を形成している状態で、画像領域ｐｇ２の２組目（後半）の画像を形成しているＹ１の位置でジャム等により用紙ＰＬの搬送が停止する。すなわち、Ｙ１の位置より搬送方向下流側領域では先に画像形成と定着とが完了している。一方、Ｙ１の位置より搬送方向上流側領域では画像形成は完了しているものの定着が完了していない。
【００７７】
このため、画像領域ｐｇ１の４画像（イメージ００１〜イメージ００４）と、画像領域ｐｇ２で先に画像形成される前半の２画像（イメージ００５〜イメージ００６）とが、完成した状態の有効な画像である。また、画像領域ｐｇ２のＹ１に重なる後半の２画像（イメージ００７〜イメージ００８）と、画像領域ｐｇ３の４画像（イメージ００９〜イメージ０１２）とが、未完成状態の無効な画像である。
【００７８】
このような場合には、画像領域ｐｇ２の前半２画像（イメージ００５〜イメージ００６）についての画像形成が終わった時点で、処理された画像領域ｐｇ２の前半２画像（イメージ００５〜イメージ００６）と、次に処理予定の画像領域ｐｇ２の後半２画像（イメージ００７〜イメージ００８）とが異なるため（図３中のステップＳ１１０でＹＥＳ）、画像領域ｐｇ２の前半２画像（イメージ００５〜イメージ００６）と同後半２画像（イメージ００７〜イメージ００８）の間Ｙ０を再開位置として算出する（図３中のステップＳ１１２）。
【００７９】
その後、画像領域ｐｇ２の後半の２画像（イメージ００７〜イメージ００８）についての画像形成の途中にジャム等が発生し、処理が中断する。よって、画像領域ｐｇ２の前半２画像と後半２画像との間Ｙ０が再開位置と確定する。
【００８０】
〔再開位置の具体例（３）〕
図８では、長尺用紙ＰＬにおいて、破線で示すページ単位の３個の画像領域ｐｇ１〜ｐｇ３を示している。また、主走査画像数ＮＧｈ＝２、副走査画像数ＮＧｖ＝２、１ページ単位内に配置する画像数ＮＰＧ＝ＮＧｈ×ＮＧｖ＝２×２＝４、としている。
【００８１】
また、ここでは、（（Ａ，Ａ），（Ａ，Ａ）），（（Ａ，Ａ），（Ａ，Ａ）），（（Ｂ，Ｂ），（Ｂ，Ｂ））のように、同一ジョブ中の途中でイメージが変化する画像を画像形成する例であり、全画像数Ｇall＝１２枚について、ページ数ＮＰ＝ＮＧall÷ＮＰＧ＝１２÷４＝３である。
【００８２】
ここで、用紙ＰＬに画像を形成している状態で、画像領域ｐｇ２の２組目（後半）の画像を形成しているＹ１の位置でジャム等により用紙ＰＬの搬送が停止する。すなわち、Ｙ１の位置より搬送方向下流側領域では先に画像形成と定着とが完了している。一方、Ｙ１の位置より搬送方向上流側領域では画像形成は完了しているものの定着が完了していない。
【００８３】
このため、画像領域ｐｇ１の４画像と、画像領域ｐｇ２で先に画像形成される前半の２画像とが、完成した状態の有効な画像である。また、画像領域ｐｇ２のＹ１に重なる後半の２画像と、画像領域ｐｇ３の４画像とが、未完成状態の無効な画像である。
【００８４】
このような場合には、画像領域ｐｇ２の前半２画像についての画像形成が終わった時点で、画像領域ｐｇ２の４画像（イメージＡ）と次の画像領域ｐｇ３の４画像（イメージＢ）とが異なるため（図３中のステップＳ１１０でＹＥＳ）、画像領域ｐｇ２の前半２画像と同後半２画像の間Ｙ０を再開位置として算出する（図３中のステップＳ１１２）。
【００８５】
その後、画像領域ｐｇ２の後半の２画像についての画像形成の途中にジャム等が発生し、処理が中断する。よって、画像領域ｐｇ２の前半２画像と後半２画像との間Ｙ０が再開位置と確定する。
【００８６】
〔再開位置の具体例（４）〕
図９では、ジョブ１（イメージＡの８画像）からジョブ２（イメージＢの４画像）に、画像形成の途中でジョブが切り替わる。但し、再開位置の設定については図８と同じ処理がなされる。すなわち、画像領域ｐｇ２の前半２画像と後半２画像との間Ｙ０が再開位置となる。このため、重複した説明を省略する。
【００８７】
〔ジャム対応動作〕
以下、図４のフローチャートを参照して本実施形態のジャム対応動作について説明する。図４のフローチャートにおいて、既に説明した図３のフローチャートと同じ処理については同じステップ番号を付すことで重複した説明を省略する。
【００８８】
給紙装置５０と画像形成装置１００と排紙装置２００のいずれかの位置でジャムが発生すると、ジャム発生の通知を受けた制御部１０１は、給紙装置５０の給紙動作と画像形成装置１００の画像形成動作と排紙装置２００の排紙動作とを速やかに停止させる（図４中のステップＳ１０６Ｊ１）。
【００８９】
その後、オペレータによって、リカバリ処理として、画像形成が完成状態の用紙とジャムにより画像形成が未完成状態の部分の用紙とが除去され、次の画像形成のために正常な長尺用紙がセットされる（図４中のステップＳ１０６Ｊ２）。以上のようにリカバリ処理が完了したことを検知した制御部１０１は、中断していた画像形成を再開するように各部を制御する（図４中のステップＳ１０６Ｊ３）。なお、このリカバリ処理では、排紙部２００において図示されない断裁機構を備えていて、ジャム等によって発生した未完成状態の用紙が断裁されて、図示されない排紙部に排紙される。
【００９０】
まず、制御部１０１は、残画像数ＮＧremainをチェックする（図４中のステップＳ１０６Ｊ４）。残画像数ＮＧremain＝０であれば（図４中のステップＳ１０６Ｊ４でＮＯ）、全画像枚数Ｇall分の画像形成が完了しているため、制御部１０１は処理を終了する（図４中のエンド）。
【００９１】
一方、制御部１０１は、残画像数ＮＧremain≠０（残画像あり）であれば（図４中のステップＳ１０６Ｊ４でＹＥＳ）、残画像数ＮＧremainの範囲内で、算出されている再開位置から、ページ単位の各画像領域において、１ページ単位内に配置する画像数ＮＰＧ枚の画像を配置する（図４中のステップＳ１０６Ｊ５）。すなわち、制御部１０１は、画像形成を中断後に再開する際には、完成した画像を除いて未完成の画像から、ページ内に複数の画像を配置して画像形成を再開するよう制御する。
【００９２】
ここで、制御部１０１は、残画像数ＮＧremainの範囲内で、副走査方向に並んでいる副走査画像数ＮＧｖ枚の画像をページ単位の画像領域内の空き位置に形成するよう画像形成部１５０を制御する（図４中のステップＳ１０７）。
【００９３】
また、制御部１０１は、以上の副走査方向に並んで形成した副走査画像数ＮＧｖ枚の画像が定着部１６０を通過したか否かを判定する（図４中のステップＳ１０８）。以上の副走査方向に並んで形成した副走査画像数ＮＧｖ枚の画像が定着部１６０を通過した時点で、制御部１０１は、画像形成する残り画像数を意味する残画像数ＮＧremainの値を、残画像数ＮＧremain＝残画像数ＮＧremain−副走査画像数ＮＧhとして計算して更新する（図４中のステップＳ０１９）。
【００９４】
ここで、制御部１０１は、以上の副走査方向に並んで形成（図４中のステップＳ１０７）した副走査画像数ＮＧｖ枚の画像のイメージと、次に副走査方向に並べて形成する予定の副走査画像数ＮＧｖ枚の画像のイメージとについて、イメージが同じか否かを判断する（図４中のステップＳ１１０）。
【００９５】
また、制御部１０１は、画像形成済みの副走査画像数ＮＧｖ枚の画像のイメージと、次に画像形成する予定の副走査画像数ＮＧｖ枚の画像のイメージとが同じる場合（図４中のステップＳ１１０でＮＯ）には、現時点でページ単位の画像領域の１ページ分全てについて画像形成が完了しているか否かを判断する（図４中のステップＳ１１１）。
【００９６】
制御部１０１は、画像形成済みの副走査画像数ＮＧｖ枚の画像のイメージと、次に画像形成する予定の副走査画像数ＮＧｖ枚の画像のイメージとが異なる場合（図４中のステップＳ１１０でＹＥＳ）、あるいは、画像形成済みの副走査画像数ＮＧｖ枚の画像のイメージと次に画像形成する予定の副走査画像数ＮＧｖ枚の画像のイメージとが同じであって現時点でページ単位の画像領域の１ページ分全てについて画像形成が完了している場合（図４中のステップＳ１１１でＹＥＳ）には、次に画像形成する予定の画像の開始位置を再開位置として算出する（図４中のステップＳ１１２）。
【００９７】
なお、画像形成済みの副走査画像数ＮＧｖ枚の画像のイメージと次に画像形成する予定の副走査画像数ＮＧｖ枚の画像のイメージとが同じであって現時点でページ単位の画像領域の１ページ分全てについて画像形成が完了していない場合（図４中のステップＳ１１１でＮＯ）には、再開位置の算出は行わない。
【００９８】
そして、制御部１０１は、以上のようにして再開位置を算出した場合（図４中のステップＳ１１２）、又は、再開位置を算出しない場合（図４中のステップＳ１１１でＮＯ）には、ステップ１０６に戻って残画像についての画像形成（図４中のステップＳ１０７）を、残画像数ＮＧremain＝０になるまで繰り返す。
【００９９】
〔ジャム対応動作による再開の画像形成具体例〕
以下、図６以降の画像配置説明図を参照して、再開位置に対応して画像形成再開の具体例を説明する。以下、画像形成再開の具体例（１）〜画像形成再開の具体例（４）を、前述した再開位置の具体例（１）〜再開位置の具体例（４）に対応させて説明する。
【０１００】
〔再開の画像形成具体例（１）〕
図６では、既に説明したように、ジャム発生前に、長尺用紙ＰＬにおいて画像領域ｐｇ１の末尾と次の画像領域ｐｇ２の先頭との間Ｙ０を再開位置として算出されている。
【０１０１】
ここで、図６における画像形成再開の場合であれば、制御部１０１は、残画像数ＮＧremain＝６≠０（残画像あり）であり（図４中のステップＳ１０６Ｊ４でＹＥＳ）、残画像数ＮＧremain＝６の範囲内で、算出されている再開位置から、ページ単位の各画像領域において、１ページ単位内に配置する画像数ＮＰＧ枚の画像を配置する（図４中のステップＳ１０６Ｊ５）。
【０１０２】
すなわち、制御部１０１は、長尺用紙ＰＬ’において、画像領域ｐｇ１’の副走査方向に並んだ前半の２画像の画像形成（図４中のステップＳ１０７）した後に、残画像数ＮＧremain＝６−２＝４と算出し（図４中のステップＳ１０８，Ｓ１０９）、ステップＳ１０６Ｊ４に戻る。
【０１０３】
そして、制御部１０１は、残画像数ＮＧremain＝４≠０（残画像あり）であり（図４中のステップＳ１０６Ｊ４でＹＥＳ）、画像領域ｐｇ１’の副走査方向に並んだ後半の２画像の画像形成（図４中のステップＳ１０７）した後に、残画像数ＮＧremain＝４−２＝２と算出し（図４中のステップＳ１０８，Ｓ１０９）、再開位置を図６Ｙ２に定め（図４中のステップＳ１１２）、ステップＳ１０６Ｊ４に戻る。
【０１０４】
更に、制御部１０１は、残画像数ＮＧremain＝２≠０（残画像あり）であり（図４中のステップＳ１０６Ｊ４でＹＥＳ）、画像領域ｐｇ２’の副走査方向に並んだ前半の２画像の画像形成（図４中のステップＳ１０７）した後に、残画像数ＮＧremain＝２−２＝０と算出し（図４中のステップＳ１０８，Ｓ１０９）、ステップＳ１０６Ｊ４に戻る。
【０１０５】
ここで、残画像数ＮＧremain＝０（残画像なし）になるため（図４中のステップＳ１０６Ｊ４でＮＯ）、全画像枚数Ｇall分の画像形成が完了しているため、制御部１０１は処理を終了する（図４中のエンド）。
【０１０６】
以上のように、複数の同一の画像を画像形成する際には、未完成の画像数により、画像形成の再開を管理することで、長尺用紙にページ単位の画像形成を繰り返して実行する際の中断後の画像形成再開における無駄を、容易に解消することが可能になる。
【０１０７】
また、１枚ずつ異なるシリアル番号のラベルを画像形成する場合には、同じシリアル番号のラベルが複数存在するといった問題を回避することが可能になる。
【０１０８】
〔再開の画像形成具体例（２）〕
図７では、既に説明したように、ジャム発生前に、長尺用紙ＰＬにおいて画像領域ｐｇ２の前半２画像と後半２画像との間Ｙ０が再開位置として算出されている。
【０１０９】
ここで、図７における画像形成再開の場合であれば、制御部１０１は、残画像数ＮＧremain＝６≠０（残画像あり）であり（図４中のステップＳ１０６Ｊ４でＹＥＳ）、残画像数ＮＧremain＝６の範囲内で、算出されている再開位置から、ページ単位の各画像領域において、１ページ単位内に配置する画像数ＮＰＧ枚の画像を配置する（図４中のステップＳ１０６Ｊ５）。
【０１１０】
すなわち、制御部１０１は、長尺用紙ＰＬ’において、画像領域ｐｇ１’の副走査方向に並んだ前半の２画像の画像形成（図４中のステップＳ１０７：ジャム発生時に画像形成中だった後半２画像（イメージ００７〜イメージ００８））をした後に、残画像数ＮＧremain＝６−２＝４と算出し（図４中のステップＳ１０８，Ｓ１０９）、再開位置を図７Ｙ２に定め（図４中のステップＳ１１０でＹＥＳ、ステップＳ１１２）、ステップＳ１０６Ｊ４に戻る。
【０１１１】
そして、制御部１０１は、残画像数ＮＧremain＝４≠０（残画像あり）であり（図４中のステップＳ１０６Ｊ４でＹＥＳ）、画像領域ｐｇ１’の副走査方向に並んだ後半の２画像の画像形成（図４中のステップＳ１０７：イメージ００９〜イメージ０１０）をした後に、残画像数ＮＧremain＝４−２＝２と算出し（図４中のステップＳ１０９，Ｓ１１０）、再開位置を図７Ｙ３に定め（図４中のステップＳ１１２）、ステップＳ１０６Ｊ４に戻る。
【０１１２】
また、制御部１０１は、残画像数ＮＧremain＝２≠０（残画像あり）であり（図４中のステップＳ１０６Ｊ４でＹＥＳ）、長尺用紙ＰＬ’において、画像領域ｐｇ２’の副走査方向に並んだ前半の２画像の画像形成（図４中のステップＳ１０７：イメージ０１１〜イメージ０１２）をした後に、残画像数ＮＧremain＝２−２＝０と算出し（図４中のステップＳ１０８，Ｓ１０９）、ステップＳ１０６Ｊ４に戻る。
【０１１３】
ここで、残画像数ＮＧremain＝０（残画像なし）になるため（図４中のステップＳ１０６Ｊ４でＮＯ）、全画像枚数Ｇall分の画像形成が完了しているため、制御部１０１は処理を終了する（図４中のエンド）。
【０１１４】
以上のように、複数の異なる画像を画像形成する際には、未完成の画像からページ内に複数の画像を配置し、配置された画像により画像形成を再開するよう制御することで、長尺用紙にページ単位の画像形成を繰り返して実行する際の中断後の画像形成再開における無駄を、適切に解消することが可能になる。
【０１１５】
すなわち、従来のページ単位の画像形成再開の手法であれば、長尺用紙ＰＬにおける完成状態の画像領域ｐｇ２の前半２画像（イメージ００５〜イメージ００６）を、画像形成再開時の長尺用紙ＰＬ’においても重複して画像形成するはずであるが、本実施形態ではそのような無駄を生じることがなくなる。
【０１１６】
〔再開の画像形成具体例（３）〕
図８では、既に説明したように、ジャム発生前に、長尺用紙ＰＬにおいて画像領域ｐｇ２の前半２画像と後半２画像との間Ｙ０が再開位置として算出されている。
【０１１７】
ここで、図８における画像形成再開の場合であれば、制御部１０１は、残画像数ＮＧremain＝６≠０（残画像あり）であり（図４中のステップＳ１０６Ｊ４でＹＥＳ）、残画像数ＮＧremain＝６の範囲内で、算出されている再開位置から、ページ単位の各画像領域において、１ページ単位内に配置する画像数ＮＰＧ枚の画像を配置する（図４中のステップＳ１０６Ｊ５）。
【０１１８】
すなわち、制御部１０１は、長尺用紙ＰＬ’において、画像領域ｐｇ１’の副走査方向に並んだ前半の２画像の画像形成（図４中のステップＳ１０７：ジャム発生時に画像形成中だった後半２画像（イメージＡ，イメージＡ））をした後に、残画像数ＮＧremain＝６−２＝４と算出し（図４中のステップＳ１０８，Ｓ１０９）、再開位置を図８Ｙ２に定め（図４中のステップＳ１１０でＹＥＳ、ステップＳ１１２）、ステップＳ１０６Ｊ４に戻る。
【０１１９】
そして、制御部１０１は、残画像数ＮＧremain＝４≠０（残画像あり）であり（図４中のステップＳ１０６Ｊ４でＹＥＳ）、画像領域ｐｇ１’の副走査方向に並んだ後半の２画像の画像形成（図４中のステップＳ１０７：イメージＢ，イメージＢ）をした後に、残画像数ＮＧremain＝４−２＝２と算出し（図４中のステップＳ１０９，Ｓ１１０）、再開位置を図８Ｙ３に定め（図４中のステップＳ１１２）、ステップＳ１０６Ｊ４に戻る。
【０１２０】
また、制御部１０１は、残画像数ＮＧremain＝２≠０（残画像あり）であり（図４中のステップＳ１０６Ｊ４でＹＥＳ）、長尺用紙ＰＬ’において、画像領域ｐｇ２’の副走査方向に並んだ前半の２画像の画像形成（図４中のステップＳ１０７：イメージＢ，イメージＢ）をした後に、残画像数ＮＧremain＝２−２＝０と算出し（図４中のステップＳ１０８，Ｓ１０９）、ステップＳ１０６Ｊ４に戻る。
【０１２１】
ここで、残画像数ＮＧremain＝０（残画像なし）になるため（図４中のステップＳ１０６Ｊ４でＮＯ）、全画像枚数Ｇall分の画像形成が完了しているため、制御部１０１は処理を終了する（図４中のエンド）。
【０１２２】
以上のように、複数の異なる画像を画像形成する際には、未完成の画像からページ内に複数の画像を配置し、配置された画像により画像形成を再開するよう制御することで、長尺用紙にページ単位の画像形成を繰り返して実行する際の中断後の画像形成再開における無駄を、適切に解消することが可能になる。
【０１２３】
すなわち、従来のページ単位の画像形成再開の手法であれば、長尺用紙ＰＬにおける完成状態の画像領域ｐｇ２の前半２画像（イメージＡ，イメージＡ）を、画像形成再開時の長尺用紙ＰＬ’においても重複して画像形成するはずであるが、本実施形態ではそのような無駄を生じることがなくなる。
【０１２４】
また、この具体例では、画像形成を中断後に再開するために未完成の画像からページ内に所定の複数の画像を配置する際に、同一ジョブに属する複数の異なる画像については、同じページ内に配置するように制御することで、長尺用紙にページ単位の画像形成を繰り返して実行する際の中断後の画像形成再開における無駄を、適切に解消することが可能になる。
【０１２５】
〔再開の画像形成具体例（４）〕
図９では、ジョブ１（イメージＡの８画像）からジョブ２（イメージＢの４画像）に、画像形成の途中でジョブが切り替わる。また、図９では、既に説明したように、ジャム発生前に、長尺用紙ＰＬにおいて画像領域ｐｇ２の前半２画像と後半２画像との間Ｙ０が再開位置として算出されている。
【０１２６】
ここでは、図１０のフローチャートを参照して説明する。なお、図４のフローチャートと同一処理内容には同一ステップ番号を付して、重複した説明を省略する。
【０１２７】
ここで、図９における画像形成再開の場合であれば、制御部１０１は、残画像数ＮＧremain＝６≠０（残画像あり）であり（図１０中のステップＳ１０６Ｊ４でＹＥＳ）、残画像数ＮＧremain＝６の範囲内で、算出されている再開位置から、ページ単位の各画像領域において、１ページ単位内に配置する画像数ＮＰＧ枚の画像を配置する（図１０中のステップＳ１０６Ｊ５’）。この際、異なるジョブの画像は、同じ画像領域に配置しないようにする。
【０１２８】
すなわち、制御部１０１は、長尺用紙ＰＬ’において、画像領域ｐｇ１’の副走査方向に並んだ前半の２画像の画像形成（図１０中のステップＳ１０７：ジャム発生時に画像形成中だった後半２画像（イメージＡ，イメージＡ））をした後に、残画像数ＮＧremain＝６−２＝４と算出し（図１０中のステップＳ１０８，Ｓ１０９）、再開位置を図９Ｙ２に定め（図１０中のステップＳ１１０でＹＥＳ、ステップＳ１１２）、ステップＳ１０６Ｊ４に戻る。なお、次の画像形成ではジョブ１からジョブ２に変わり、画像領域ｐｇ１’の後半ではなく、画像領域ｐｇ２’の前半に画像形成することになるため、再開位置Ｙ２は画像領域ｐｇ１’の末尾になっている。
【０１２９】
そして、制御部１０１は、残画像数ＮＧremain＝４≠０（残画像あり）であり（図１０中のステップＳ１０６Ｊ４でＹＥＳ）、画像領域ｐｇ２’の副走査方向に並んだ前半の２画像の画像形成（図１０中のステップＳ１０７：イメージＢ，イメージＢ）をした後に、残画像数ＮＧremain＝４−２＝２と算出し（図１０中のステップＳ１０９，Ｓ１１０）、再開位置を図９Ｙ３に定め（図１０中のステップＳ１１２）、ステップＳ１０６Ｊ４に戻る。あの、ジョブ１からジョブ２に変わったため、画像領域ｐｇ１’の後半部分ではなく、画像領域ｐｇ２’の前半部分に画像形成する。
【０１３０】
また、制御部１０１は、残画像数ＮＧremain＝２≠０（残画像あり）であり（図１０中のステップＳ１０６Ｊ４でＹＥＳ）、長尺用紙ＰＬ’において、画像領域ｐｇ２’の副走査方向に並んだ後半の２画像の画像形成（図４中のステップＳ１０７：イメージＢ，イメージＢ）をした後に、残画像数ＮＧremain＝２−２＝０と算出し（図４中のステップＳ１０８，Ｓ１０９）、ステップＳ１０６Ｊ４に戻る。
【０１３１】
ここで、残画像数ＮＧremain＝０（残画像なし）になるため（図４中のステップＳ１０６Ｊ４でＮＯ）、全画像枚数Ｇall分の画像形成が完了しているため、制御部１０１は処理を終了する（図４中のエンド）。
【０１３２】
以上のように、複数の異なる画像を画像形成する際には、未完成の画像からページ内に複数の画像を配置し、配置された画像により画像形成を再開するよう制御することで、長尺用紙にページ単位の画像形成を繰り返して実行する際の中断後の画像形成再開における無駄を、適切に解消することが可能になる。
【０１３３】
また、この具体例では、画像形成を中断後に再開するために未完成の画像からページ内に所定の複数の画像を配置する際に、異なるジョブに属する画像については、同じページ内に配置しないように制御することで、長尺用紙にページ単位の画像形成を繰り返して実行する際の中断後の画像形成再開における無駄を解消しつつ、異なるジョブの画像が混在することも防止できる。
【０１３４】
〔その他の実施形態〕
以上の説明では、画像形成装置１００内の制御部１０１が各種制御を行うようにしていたが、これに限定されるものではない。
【０１３５】
例えば、画像形成装置１００と通信可能な外部ＰＣが上述した各種制御を実行することも可能である。また、画像形成装置１００と通信可能な外部ＰＣ内のプリンタドライバが上述した各種制御を実行することも可能である。
【０１３６】
また、長尺用紙を取り扱う画像形成装置や画像形成システムであって、上述した実施形態の動作を実行できるものであれば、図１や図２の具体的構成に限定されるものではない。
【符号の説明】
【０１３７】
５０  給紙装置
１００  画像形成装置
１０１  制御部
１０２  通信部
１０３  操作表示部
１０４  記憶部
１０５  給紙部
１０７  画像形成搬送部
１１０  原稿読取部
１３０  データ記憶部
１４０  画像処理部
１５０  画像形成部
１６０  定着部
２００  排紙装置
【図１】
0006365163.tif 000002
【図２】
0006365163.tif 000003
【図３】
0006365163.tif 000004
【図４】
0006365163.tif 000005
【図５】
0006365163.tif 000006
【図６】
0006365163.tif 000007
【図７】
0006365163.tif 000008
【図８】
0006365163.tif 000009
【図９】
0006365163.tif 000010
【図１０】
0006365163.tif 000011